(57)【要約】【課題】塗布の必要な個所のみに微少量の液体を塗布することができ、余分な液体の付着、落下、垂れを防止できると共に、揮発性液体の揮発による損失も抑制することができる揮発性液体の塗布装置を提供する。【解決手段】本発明の塗布装置１は、揮発性液体を収容したタンク部２を覆う上部カバー３に塗布部４の先端部４１が通過する穴３１を設けてると共に、塗布部を昇降させる駆動部５を設けており、この駆動部を駆動して塗布部の先端部を揮発性液体を通過し、穴から突出させ、被塗布物６にこの先端部を当接させることで、揮発性液体を被塗布物に塗布するようにしている。【選択図】      図１
2004174427.tif 000002
【特許請求の範囲】
【請求項１】
揮発性液体を収容するタンク部と、
揮発性液体中を通過して被塗布物に当接して揮発性液体を塗布する塗布部と、被塗布物を前記塗布部上方に搬送位置決めする搬送部と、
からなる揮発性液体の塗布装置において、
前記タンク部には、その上部を覆う上部カバーが設けられていると共に、前記上部カバーには前記塗布部が通過する穴が設けられていることを特徴とする揮発性液体の塗布装置。
【請求項２】
前記塗布部が前記穴に挿入されて、前記上部カバーより突出することで前記タンク部が密閉される状態を、前記塗布部の定位置とすることを特徴とする請求項１に記載の揮発性液体の塗布装置。
【請求項３】
前記塗布部を、前記定位置と前記タンク部の揮発性液体中に浸漬する位置との間で昇降させる駆動部を更に具備していることを特徴とする請求項２に記載の揮発性液体の塗布装置。
【請求項４】
前記塗布部が略ピン形状をしていることを特徴とする請求項１〜３のいずれか一項に記載の揮発性液体の塗布装置。
【請求項５】
被塗布物の被塗布部分が、被塗布物の窪んだ凹部の底面であることを特徴とする請求項１〜４のいずれか一項に記載の揮発性液体の塗布装置。
【発明の詳細な説明】
【０００１】
【発明の属する技術分野】
本発明は、揮発性液体を被塗布物に塗布する揮発性液体の塗布装置に関する。
【０００２】
【従来の技術】
従来の揮発性液体の塗布装置は、図３に示すように揮発性液体を入れたタンク部Ａ内に布やスポンジ等の吸収体Ｃが入れられていて、常時は上部カバーＢを閉じていて、被塗布物Ｅに塗布するときに、搬送部Ｄのチャック機構によって被塗布物Ｅを把持して搬送し、上部カバーＢを開けて被塗布物Ｅを吸収体Ｃに押圧又は接触させることにより、被塗布物Ｅに揮発性液体を塗布していた。
【０００３】
しかしながら、この従来の塗布装置では、被塗布物Ｅの窪んだ凹部Ｅ１の底面にのみ揮発性液体を塗布したいような場合においては、窪んだ凹部の底面Ｅ１に揮発性液体を確実に塗布するためには、余分な部分にまで揮発性液体を塗布しなければならず、被塗布物に塗布された液体が垂れて落下したり、装置を汚したり、また部品の他の部分に付着する等の問題があった。また、塗布時にタンク部Ａを全面的に開放する必要があるため、揮発性液体が揮発しタンク部外に漏れるのを防止できなかった。
【０００４】
【発明が解決しようとする課題】
本発明は、上記問題に鑑みてなされたもので、その目的は、被塗布物の塗布の必要な個所に微少量の液体を塗布することができ、余分な液体の付着、落下、垂れを防止できると共に、揮発性液体の揮発による損失も防止できる揮発性液体の塗布装置を提供することである。
【０００５】
【課題を解決するための手段】
本発明は、前記課題を解決するための手段として、特許請求の範囲の各請求項に記載の揮発性液体の塗布装置を提供する。
請求項１に記載の揮発性液体の塗布装置は、揮発性液体を収容したタンク部を覆う上部カバーに塗布部が通過する穴を設けて、揮発性液体中を通過した塗布部がこの穴から突出し、被塗布物に当接することで揮発性液体を塗布するようにしたものであり、これによって、被塗布物の塗布の不必要な部分にまで揮発性液体を塗布することもなく、付着する液体は微量ですみ、余分な液体の付着、落下、垂れを防止できる。また、塗布時にタンク部が開放される部分は、穴のみであるために揮発性液体の揮発を最小限に抑えることができる。
【０００６】
請求項２の該塗布装置は、塗布部が上部カバーの穴に挿入され、突出されることでタンク部が密閉される状態を、塗布部の定位置とするようにしたものであり、これにより、塗布時に塗布部が降下して揮発性液体中に沈んだときだけ、穴が開放されてタンク部の密閉が解除され、その他の場合は、塗布部は穴を閉じてタンク部を密閉状態にするので、揮発性液体の揮発による損失を最少限に阻止できる。
請求項３の該塗布装置は、塗布部を定位置と揮発性液体中に浸漬する位置との間で昇降する駆動部を更に具備するようにしたものであり、これにより、自動化を図ることができる。
【０００７】
請求項４の該塗布装置は、塗布部を略ピン形状にしたものであり、これにより、略ピン形状の塗布部の先端に付着して残った微少量の液体を被塗布物に塗布することができ、余分な液の付着、落下、垂れを防止できる。
請求項５の該塗布装置は、被塗布物の被塗布部分が窪んだ凹部の底面に塗布する場合において、好適であることを示している。
【０００８】
【発明の実施の形態】
以下、図面に基づいて本発明の実施の形態の揮発性液体の塗布装置について説明する。図１は、本発明の塗布装置の全体構成を示す図である。本発明の塗布装置１は、上部が開口され、内部に揮発性液体を収容するタンク部２と、開口された上部を覆う上部カバー３と、タンク部２内を上下動する塗布部４と、この塗布部４を上下に昇降させる駆動部５等より構成される。
【０００９】
タンク部２は、上部が開口され、下部が閉鎖された筒状体であり、その内部には、揮発性液体が充填される。筒状体の断面形状は、円形状でも角形状でもよい。
タンク部２の開口された上部には、上部カバー３が設けられていて、内部に充填されている揮発性液体の揮発を防止している。上部カバー３の略中央部には、塗布部４を挿通するための穴３１が穿設されている。穴３１の周囲には、シール部３２が形成されていて、挿入された塗布部４の周面との間で揮発性液体をシールしている。
【００１０】
塗布部４は、略ピン形状をしていて、タンク部２の閉鎖された下部を貫通して延在している。塗布部４と貫通されたタンク部２の下部との間には、当然シール機構２１が介在して設けられており、揮発性液体のタンク部２からの漏洩を防止している。塗布部４の下部は、連結部材５１によって駆動部５に接続している。この駆動部５は、直線的な往復運動を行える機構であれば、どのような公知の機構でも採用可能である。例えば、ピストン−シリンダ機構、ラックピニオン機構、ボールネジ機構等が採用可能である。
【００１１】
図２（ａ）〜（ｄ）は、本発明の塗布装置１における塗布作業の工程を示す図である。この場合、被塗布物６は、搬送部７のチャック機構７１により把持されて、搬送され、塗布装置１の塗布部４の上方に搬送位置決めされる。図２（ａ）は、塗布装置１における塗布部４が定位置にある状態を示している。即ち、塗布部４は上昇位置にあり、その先端部４１が上部カバー３の穴３１内を挿通して、上部カバー３より上方に突出している状態にある。この状態においては、穴３１は塗布部４によって閉鎖され、タンク部２内の揮発性液体の揮発が防止される。
【００１２】
図２（ｂ）においては、被塗布物６が搬送部７のチャック機構７１により把持・搬送され、塗布装置１の塗布部４の上方に位置決めされる。塗布部４は、駆動部５によって、その先端部４１が揮発性液体中に完全に沈むまで下方に降下される。このときだけ、上部カバー３の穴３１が開放されて、揮発性液体が揮発して穴３１から外部へと洩れる。
【００１３】
次に、図２（ｃ）に示すように駆動部５を駆動して塗布部４を、図２（ａ）と同様の定位置まで上昇させる。同時に被塗布物６を降下させて、被塗布物６の塗布される被塗布部分を塗布部４の先端部４１に当接することで、揮発性液体を被塗布部分に塗布する。図２においては、この被塗布部分は、被塗布物６の窪んだ凹部６１の底面である。このようにして、先端部４１が被塗布物６に当接する部分のみに揮発性液体を塗布することができる。
【００１４】
図２（ｄ）は、塗布後の被塗布物６を上昇させて、塗布前の図２（ｂ）の塗布部４の上方の位置に被塗布物を戻した図である。これによって、塗布装置１の一連の塗布作業が終了する。このように、本発明の塗布装置においては、塗布部４の先端部４１が被塗布部分に入り込んで当接するような被塗布物６の凹部底面を塗布するような場合において好適である。
【００１５】
以上説明したように、本発明においては、上部カバーに塗布部の先端部が通過する穴を設けると共に、塗布部の先端部が穴に挿通されて上記カバー上に突出することでタンク部内部を密閉する状態を定位置とすることにより、微少量の揮発性液体を被塗布物に塗布することができ、余分な液体の付着、落下、垂れを防止することができる共に、揮発性液体が揮発してタンク外に漏れるのを最少限に抑えることができる。
【図面の簡単な説明】
【図１】本発明の実施の形態の揮発性液体の塗布装置の全体構成を示す図である。
【図２】本発明の揮発性液体の塗布装置の塗布作業の工程（ａ）〜（ｄ）を示す図である。
【図３】従来の揮発性液体の塗布装置を示す図である。
【符号の説明】
１…塗布装置
２…タンク部
２１…シール機構
３…上部カバー
３１…穴
３２…シール部
４…塗布部
４１…先端部
５…駆動部
６…被塗布物
６１…凹部
７…搬送部
７１…チャック機構
【図１】
2004174427.tif 000003
【図２】
2004174427.tif 000004
【図３】
2004174427.tif 000005